(57)【要約】      （修正有）【課題】上下閉塞部材及び側部閉塞部材の進出状態において、間仕切パネルの上部及び／または下部を十分に閉塞することができる移動間仕切装置を提供する。【解決手段】間仕切パネル１，１，…，１Ａを連接させて空間を仕切る移動間仕切装置であって、一の間仕切パネル１Ａは、パネル本体５０と、側部閉塞部材２０と、上下閉塞部材１１，１２と、角部閉塞部材３１，３２と、を有し、上下閉塞部材１１，１２は、パネル本体５０に付勢手段を介して連結され、進出状態において、付勢手段により上下閉塞部材１１，１２が連接方向の一方側と上下方向とに付勢されており、角部閉塞部材３１，３２は、側部閉塞部材２０及び上下閉塞部材１１，１２それぞれと相対移動可能に連結され、側部閉塞部材２０及び上下閉塞部材１１，１２が進出した状態で角部閉塞部材３１，３２は空間に進出状態となる。【選択図】図１０
2019143339.tif 000002
【特許請求の範囲】
【請求項１】
天井に設けられる誘導路に吊支部材を介して吊支され、前記誘導路に沿って移動可能な複数の間仕切パネルを連接させて空間を仕切る移動間仕切装置であって、
一の前記間仕切パネルは、前記吊支部材が接続されたパネル本体と、該パネル本体から連接方向に進退動作可能な側部閉塞部材と、該パネル本体から天井側及び／または床側に対して進退動作可能な上下閉塞部材と、前記側部閉塞部材と前記上下閉塞部材との間の空間に進退動作可能な角部閉塞部材と、を有し、
前記上下閉塞部材は、前記パネル本体に付勢手段を介して連結され、進出状態において、前記付勢手段の付勢力により前記上下閉塞部材が連接方向の一方側と上下方向とに付勢されており、
前記角部閉塞部材は、前記側部閉塞部材及び前記上下閉塞部材それぞれと相対移動可能に連結され、前記側部閉塞部材及び前記上下閉塞部材が進出した状態で前記角部閉塞部材は前記空間に進出状態となることを特徴とする移動間仕切装置。
【請求項２】
前記上下閉塞部材は、収納状態において、前記付勢手段の付勢力により前記上下閉塞部材の一端部が連接方向の一方側へと突出していることを特徴とする請求項１に記載の移動間仕切装置。
【請求項３】
前記上下閉塞部材は、前記パネル本体に回動アームを介して連結され、
前記回動アームは、一端が前記パネル本体または前記上下閉塞部材の一方に回動自在に軸支され、他端が前記パネル本体または前記上下閉塞部材の他方に回動自在に軸支されるとともに、前記パネル本体または前記上下閉塞部材の他方に設けられた溝部に進行方向へのスライドが許容された状態で遊嵌されていることを特徴とする請求項２に記載の移動間仕切装置。
【請求項４】
前記角部閉塞部材と前記側部閉塞部材とは、上下方向に相対移動可能に連結され、
前記角部閉塞部材と前記上下閉塞部材とは、連接方向に相対移動可能に連結されていることを特徴とする請求項１ないし３のいずれかに記載の移動間仕切装置。
【請求項５】
前記角部閉塞部材は、前記上下閉塞部材に入れ子状かつ当該上下閉塞部材の進出と連動して進出するように連結されていることを特徴とする請求項１ないし４のいずれかに記載の移動間仕切装置。
【請求項６】
前記上下閉塞部材は、収納状態において該上下閉塞部材の少なくとも一部が前記側部閉塞部材内に配置されることを特徴とする請求項１ないし５のいずれかに記載の移動間仕切装置。
【請求項７】
前記角部閉塞部材は、前記側部閉塞部材の進出と連動して進出するように連結されていることを特徴とする請求項１ないし６のいずれかに記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールにローラを有する吊支部材を介して吊支され、該レールに沿って移動可能な間仕切パネルを連接して所定の区画に仕切って、所望の小区画のレイアウトを実現している。このような移動間仕切装置にあっては、最後の間仕切パネルに壁部、天井または床との隙間をそれぞれ閉塞するための側部閉塞部材、上部閉塞部材及び下部閉塞部材を進退自在な閉塞機構が設けられているものがあり、各閉塞部材を壁部、天井または床に対して押圧させることで隙間を閉塞し、光や音の漏れを防止できるようにしたものが知られている（特許文献１参照）。
【０００３】
特許文献１に示される間仕切パネルの閉塞機構は、壁部に向けて略直線状に進出される側部閉塞部材と、天井に向けて略直線状に進出される上部閉塞部材と、床に向けて略直線状に進出される下部閉塞部材と、から構成されている。これにより、閉塞機構は、各閉塞部材それぞれを略直線状に進出させ、側部閉塞部材を壁部に、上部閉塞部材を天井に、下部閉塞部材を床に押圧させることで進出状態となる。これにより、壁部と側部閉塞部材との間の隙間、天井と上部閉塞部材との隙間、床と下部閉塞部材との隙間をそれぞれ閉塞することができる。
【先行技術文献】
【特許文献】
【０００４】
【特許文献１】特開平６−５００５３号公報（第３頁、第３図）
【発明の概要】
【発明が解決しようとする課題】
【０００５】
しかしながら、特許文献１の間仕切パネルは、側部閉塞部材、上部閉塞部材及び下部閉塞部材は、それぞれ間仕切パネルの縦方向長、幅方向長及び幅方向長と略同じ長さであって、これら閉塞部材は間仕切パネルの外延からそれぞれ側方、上方及び下方に進出して閉塞する構成であるため、これら閉塞部材の進出状態において、側部閉塞部材と上部閉塞部材との間の空間や、側部閉塞部材と下部閉塞部材との間の空間は隣接する区画間に連通しているため、音や光が漏れの遮断が十分ではないという問題があった。
【０００６】
本発明は、このような問題点に着目してなされたもので、上下閉塞部材及び側部閉塞部材の進出状態において、間仕切パネルの上部及び／または下部を十分に閉塞することができる移動間仕切装置を提供することを目的とする。
【課題を解決するための手段】
【０００７】
前記課題を解決するために、本発明の移動間仕切装置は、
天井に設けられる誘導路に吊支部材を介して吊支され、前記誘導路に沿って移動可能な複数の間仕切パネルを連接させて空間を仕切る移動間仕切装置であって、
一の前記間仕切パネルは、前記吊支部材が接続されたパネル本体と、該パネル本体から連接方向に進退動作可能な側部閉塞部材と、該パネル本体から天井側及び／または床側に対して進退動作可能な上下閉塞部材と、前記側部閉塞部材と前記上下閉塞部材との間の空間に進退動作可能な角部閉塞部材と、を有し、
前記上下閉塞部材は、前記パネル本体に付勢手段を介して連結され、進出状態において、前記付勢手段の付勢力により前記上下閉塞部材が連接方向の一方側と上下方向とに付勢されており、
前記角部閉塞部材は、前記側部閉塞部材及び前記上下閉塞部材それぞれと相対移動可能に連結され、前記側部閉塞部材及び前記上下閉塞部材が進出した状態で前記角部閉塞部材は前記空間に進出状態となることを特徴としている。
この特徴によれば、側部閉塞部材の進出状態が解除されることで、付勢手段により上下閉塞部材の一端部がパネル本体に対して相対的に連接方向の一方側へと進出するため、上下閉塞部材を半自動的に収納状態とすることができる。また、側部閉塞部材と上下閉塞部材とを進出状態とした際に、側部閉塞部材と上下閉塞部材との間の空間に角部閉塞部材が進出状態となることから、上下閉塞部材と側部閉塞部材との進出状態において、間仕切パネルの上部及び／または下部を十分に閉塞することができる。
【０００８】
前記上下閉塞部材は、収納状態において、前記付勢手段の付勢力により前記上下閉塞部材の一端部が連接方向の一方側へと突出していることを特徴としている。
この特徴によれば、上下閉塞部材を隣接する間仕切パネルの側端部に押圧させることで、上下閉塞部材を天井及び／または床に向けて進出させることができる。
【０００９】
前記上下閉塞部材は、前記パネル本体に回動アームを介して連結され、
前記回動アームは、一端が前記パネル本体または前記上下閉塞部材の一方に回動自在に軸支され、他端が前記パネル本体または前記上下閉塞部材の他方に回動自在に軸支されるとともに、前記パネル本体または前記上下閉塞部材の他方に設けられた溝部に進行方向へのスライドが許容された状態で遊嵌されていることを特徴としている。
この特徴によれば、進出状態から収納状態にかけて付勢手段の付勢力により上下閉塞部材が押し戻される方向に付勢され、回動アームの他端が溝部の端部に当接した状態となることから、上下閉塞部材が天井側及び／または床側に飛び出ないように保持することができる。
【００１０】
前記角部閉塞部材と前記側部閉塞部材とは、上下方向に相対移動可能に連結され、
前記角部閉塞部材と前記上下閉塞部材とは、連接方向に相対移動可能に連結されていることを特徴としている。
この特徴によれば、側部閉塞部材及び上下閉塞部材の進出動作に伴って角部閉塞部材を進出動作させることができる。
【００１１】
前記角部閉塞部材は、前記上下閉塞部材に入れ子状かつ当該上下閉塞部材の進出と連動して進出するように連結されていることを特徴としている。
この特徴によれば、収納状態において、上下閉塞部材と角部閉塞部材とをコンパクトに収納できるとともに、角部閉塞部材を上下閉塞部材と共に進出させることができる。
【００１２】
前記上下閉塞部材は、収納状態において該上下閉塞部材の少なくとも一部が前記側部閉塞部材内に配置されることを特徴としている。
この特徴によれば、収納状態において、上下閉塞部材の少なくとも一部と側部閉塞部材とを入れ子状に配置することで、側部閉塞部材を天井及び／または床の近くまで延設することができる。これにより、上下閉塞部材の天井及び／または床への進出量が小さくなることから、上下閉塞部材をコンパクトに構成することができる。
【００１３】
前記角部閉塞部材は、前記側部閉塞部材の進出と連動して進出するように連結されていることを特徴としている。
この特徴によれば、角部閉塞部材を側部閉塞部材と共に確実に進出させることができる。
【図面の簡単な説明】
【００１４】
【図１】本発明の実施例における移動間仕切装置の構造を示す斜視図である。
【図２】移動間仕切装置の要部の構造を示す分解斜視図である。
【図３】最後の間仕切パネルの構造を示す分解斜視図である。
【図４】上部閉塞部材及び下部閉塞部材の収納状態を示す縦断面図である。
【図５】（ａ）は、最後尾の間仕切パネルの上端部を示す上面図であり、（ｂ）は、上角部閉塞部材の上端部を示す上面図であり、（ｃ）は、上部閉塞部材の上端部を示す上面図である。
【図６】パネル本体に設置された側部閉塞装置を示す模式図である。
【図７】（ａ）〜（ｅ）は上部閉塞部材の閉塞動作における捻りコイルバネの動きを示した模式図である。
【図８】（ａ）は、収納状態における側部閉塞装置を示す模式図であり、（ｂ）は、進出状態における側部閉塞装置を示す模式図である。
【図９】（ａ），（ｂ）は、最後尾の間仕切パネルによる天井、床、壁部との間の隙間の閉塞態様を示す模式図である。
【図１０】（ａ），（ｂ）は、図９に引き続き、最後尾の間仕切パネルによる天井、床、壁部との間の隙間の閉塞態様を示す模式図である。
【発明を実施するための形態】
【００１５】
本発明に係る移動間仕切装置を実施するための形態を実施例に基づいて以下に説明する。
【実施例】
【００１６】
実施例に係る移動間仕切装置につき、図１から図１０を参照して説明する。以下、図２の紙面手前側及び図４の紙面右側を移動間仕切装置の正面側（前方側）とし、その前方側から見たときの上下左右方向を基準として説明する。
【００１７】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１８】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２を有する最後尾の間仕切パネル１Ａ（一の間仕切パネル）と、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０が側壁Ｗに設けられる移動規制端部Ｓ（壁部）に押し付けられることにより、天井Ｒから床Ｆに亘って室内空間を仕切ることができるようになっている。
【００１９】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁部や支柱等のことである。
【００２０】
また、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２１】
次に、最後尾の間仕切パネル１Ａについて説明する。尚、他の間仕切パネル１の構成については、最後尾の間仕切パネル１Ａの構成と略同一態様であるため、重複する説明については省略する。
【００２２】
図３に示されるように、最後尾の間仕切パネル１Ａは、天井Ｒ及び床Ｆの近くまで延設され（図２参照）前後に間隔をおいて対向配置される一対のガラスパネル４，４（パネル部材）と、ガラスパネル４，４を一体に保持する枠部材５（上部フレーム６、縦フレーム７，７Ａ及び下部フレーム８）と、上部フレーム６または下部フレーム８に収納される上部閉塞部材１１（上下閉塞部材）または下部閉塞部材１２（上下閉塞部材）と、上部閉塞部材１１または下部閉塞部材１２に収納される上角部閉塞部材３１及び下角部閉塞部材３２と、上部閉塞部材１１及び下部閉塞部材１２を進退動作させる上部進退機構６５または下部進退機構８５（図７参照）と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠部材５とが一体化されてパネル本体５０を構成している。
【００２３】
図３，図４を用いて、先ずガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２４】
図３に示されるように、前方のガラスパネル４には貫通孔４ｂが形成されており、貫通孔４ｂは、後述する側部閉塞装置２のアクセス部Ｃ（後述する六角ボルト頭部）に位置合わせされている。
【００２５】
次に、枠部材５の構造について説明する。図３に示されるように、枠部材５は、ガラスパネル４，４の上端部に沿って取り付けられる上部フレーム６と、上端部が上部フレーム６の左右両端部に連結される一対の縦フレーム７，７Ａと、ガラスパネル４，４の下端部に沿って取り付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２６】
図３〜図５に示されるように、上部フレーム６は、アルミ合金等の金属製の押出成形品であり、凹溝部６１（図４参照）が長手方向に沿って形成された前後一対の保持部６３，６３と、該保持部６３，６３の間に長手方向に沿って設けられる上部チャンネル部６２と、該保持部６３，６３を前後方向に連結する基部６４と、を備えている。凹溝部６１は、側方から見て下向きコ字状を成し、保持部６３は、凹溝部６１を介してガラスパネル４，４の上端部が上方から嵌合されることで、ガラスパネル４，４の上端部を保護している。さらに、ガラスパネル４，４は、天井Ｒの近くまで延設されていることから（図２参照）、上部フレーム６についても天井Ｒの近くに配置されている。また、上部チャンネル部６２には、上部閉塞部材１１、上角部閉塞部材３１及び上部進退機構６５が収納されている。
【００２７】
また、図５に示されるように、基部６４の側部閉塞装置２が取り付けられる側の端部６４ａは、側部閉塞装置２の左右方向の寸法と略同一寸法分、間仕切パネル１Ａの長手方向略中央側に位置しており、側部閉塞装置２が取り付けられない側の反対側の端部６４ｂは間仕切パネル１Ａの長手方向端部に位置している。尚、図示は省略するが、他の間仕切パネル１の上部フレームの基部は、両端部共に反対側の端部６４ｂと略同一構成となっている。
【００２８】
また、図３に示されるように、側部閉塞装置２の上端部に配置される保持部６３，６３の間は上下方向に開放されており、保持部６３，６３の離間距離は、上部チャンネル部６２（図４参照）の前後寸法と略同一寸法である。
【００２９】
図４に示されるように、下部フレーム８は、上部フレーム６を上下に反転した形状と略同一形状であり、保持部８３，８３、下部チャンネル部８２，８２及び基部８４を備えている。下部フレーム８の保持部８３は、凹溝部８１を介してガラスパネル４，４の下端部が下方から嵌合されることで、ガラスパネル４，４の下端部を保護している。さらに、ガラスパネル４，４は、床Ｆの近くまで延設されていることから（図２参照）、下部フレーム８についても床Ｆの近くに配置されている。また、下部フレーム８の下部チャンネル部８２は、下部閉塞部材１２、下角部閉塞部材３２及び下部進退機構８５が収納されている。さらに、図３に示されるように、側部閉塞装置２の下端部に配置される保持部８３，８３の間は上下方向に開放されており、保持部８３，８３の離間距離は、下部チャンネル部８２（図４参照）の前後寸法と略同一寸法である。
【００３０】
図３に戻って、縦フレーム７は、最後尾の間仕切パネル１Ａの上下方向に延びる被覆部材７０と、該間仕切パネル１Ａの上下方向に延び被覆部材７０により被覆される芯部材７１と、から主に構成され、芯部材７１の上端部が上部フレーム６に、芯部材７１の下端部が下部フレーム８に、それぞれ一対のネジで固定される。尚、他の間仕切パネル１は、縦フレーム７，７が対向配置されている。
【００３１】
図３に示されるように、縦フレーム７Ａは、ガラスパネル４，４の上下方向に亘って延びる上面視コ字状のカバー部材７２と、カバー部材７２の右端部の一対のリブ状の短板間に配置されて短板に覆われる芯部材７１Ａと、から主に構成され、芯部材７１Ａの上端部が上部フレーム６に、芯部材７１Ａの下端部が下部フレーム８に、それぞれ一対のネジで固定される。また、縦フレーム７Ａは、カバー部材７２内の収納部７２ｄに側部閉塞装置２が収納された状態で、該側部閉塞装置２が芯部材７１Ａに固定される。
【００３２】
また、図６，図７に示されるように、芯部材７１Ａの左側面には、正面視略直角三角形状の板状の延設パネル７３（延設体）（図７参照）が溶接固定されている。延設パネル７３の上端部の先端側には、連結体７４が溶接固定されている。連結体７４には一方の吊支部材９が取り付けられている。
【００３３】
ここで、ガラスパネル４，４と縦フレーム７，７Ａとの連結について説明する。ガラスパネル４，４の内面と、縦フレーム７の被覆部材７０の側面とを透明な両面テープで貼付するとともに、前方のガラスパネル４の内面と、縦フレーム７Ａのカバー部材７２の側面とを透明な両面テープで貼付する。このようにしてガラスパネル４，４と縦フレーム７，７Ａとが固着されている。
【００３４】
また、図３に示されるように、カバー部材７２の前方の側板部には、前方のガラスパネル４の貫通孔４ｂと位置合わせされて貫通孔７２ｆが形成されており、ガラスパネル４，４と縦フレーム７，７Ａとが固着され、貫通孔７２ｆと貫通孔４ｂとが連通することで、アクセス部Ｃ（操作部）にアクセス可能なアクセス孔Ｈが形成される。尚、直接の図示は省略するが、アクセス部Ｃの操作を行うとき以外は、アクセス孔Ｈにキャップが装着され、アクセス部Ｃの保護がなされている。
【００３５】
次に、上部閉塞部材１１及び下部閉塞部材１２について説明する。図４〜図６に示されるように、上部閉塞部材１１は、アルミ合金等の金属製の押出成形品であり、上部フレーム６よりも長尺な寸法で左右方向に延びており、天井Ｒに対向する板状の上壁部１１ａと、上壁部１１ａの前後の端部それぞれから垂直下方に延設された板状の側壁部１１ｃ，１１ｃと、を備え、側方から見て下向きコ字形状を成している。また、上部閉塞部材１１の前後寸法は、後述する側部閉塞部材２０の本体部材２１の前後寸法よりも僅かに短尺に形成されている（図５（ａ），図６の吹出し内参照）。下部閉塞部材１２は、上部閉塞部材１１を上下反転した形状と略同一形状であるため、その説明を省略する。
【００３６】
また、図５に示されるように、上部閉塞部材１１の上壁部１１ａには、左右方向に長尺な長孔１１ｅ，１１ｅが形成されており、該長孔１１ｅ，１１ｅに吊支部材９，９の軸を挿通させて、吊支部材９，９を上部フレーム６及び連結体７４に固定している。これら長孔１１ｅ，１１ｅにより、上部閉塞部材１１の進退移動可能となっている。尚、長孔１１ｅ，１１ｅは下部閉塞部材１２には形成されていない。
【００３７】
図５，図６に示されるように、上部閉塞部材１１は、上部フレーム６の上部チャンネル部６２に収納された状態において、パネル本体５０よりも右側（間仕切り位置への進行方向）に向かって右端部（一方の先端部）が突出し、かつ、左端部がパネル本体５０の左端部（移動規制端部Ｓ側の端部）に配置されるとともに、図４〜図６に示されるように、上部閉塞部材１１の側壁部１１ｃ，１１ｃが上部フレーム６の上部チャンネル部６２及び後述する側部閉塞部材２０の本体部材２１内に配置されている。
【００３８】
また、下部閉塞部材１２も上部閉塞部材１１と同様に、下壁部１２ａと、側壁部１２ｃ，１２ｃと、を備え、下部チャンネル部８２に収納された状態において、パネル本体５０よりも右側に向かって右端部が突出し、かつ、左端部がパネル本体５０の移動規制端部Ｓ側の端部に配置されるとともに、図４，図５（ａ）、図６の吹出し内に示すように、上部閉塞部材１１の左端部は、上下方向において上部チャンネル６２部まで延出した後述する本体部材２１の底部２１ｃ及び突出部２１ｄ，２１ｄに囲まれており、下部閉塞部材１２の側壁部１２ｃ，１２ｃが下部フレーム８の下部チャンネル部８２及び本体部材２１内に配置されている。
【００３９】
このように、収納状態において、上部閉塞部材１１及び下部閉塞部材１２の少なくとも一部がパネル本体５０及び側部閉塞部材２０に配置されることで、パネル本体５０及び後述する側部閉塞部材２０の本体部材２１を天井Ｒ及び床Ｆの近くまで延設することができる。これにより、上部閉塞部材１１及び下部閉塞部材１２の天井Ｒ及び床Ｆへの進出量が小さくなることから、上部閉塞部材１１及び下部閉塞部材１２をコンパクトに構成することができる。
【００４０】
図４に示されるように、上部閉塞部材１１の上面側の前後及び下部閉塞部材１２の下面側の前後には、長手方向に沿って延びるゴム製等のシール部材１４が固着されており、特に図４に示されるように、上部閉塞部材１１及び下部閉塞部材１２がレール３及び床Ｆに近づく方向に延出した状態にあっては、シール部材１４がそれぞれ上部閉塞部材１１及び下部閉塞部材１２とレール３の下面及び床Ｆとの間で押圧され、密閉性及び遮音性が高められる。
【００４１】
次に、上部進退機構６５及び下部進退機構８５の構造について説明する。尚、上部進退機構６５及び下部進退機構８５は、上下対称をなす略同一構成であるため、ここでは、下方側の下部進退機構８５について説明し、特に断らない限り上方側の下部進退機構８５の説明を省略する。
【００４２】
図６に示されるように、下部進退機構８５は、下部チャンネル部８２（図４参照）と下部閉塞部材１２との間に配設される捻りコイルバネ１５，１５（付勢手段）と、回動アーム１９，１９と、を備えている。尚、上部進退機構６５は、回動アーム１９を備えていない。
【００４３】
図７に示されるように、捻りコイルバネ１５の上端部１５ａは、基部８４に固定された取付片１７から前後方向に延びる軸部１７ａに挿通され、該軸部１７ａに対して回動自在に軸支されている。また、捻りコイルバネ１５の下端部１５ｂは、下部閉塞部材１２の下壁部１２ａの上面に固定された取付片１８から前後方向に延びる軸部１８ａに挿通されており、下端部１５ｂと隣接するコイル部１５ｄは、取付片１８において軸部１８ａの右方から前後方向に延びる軸部１８ｂに挿通されているため、下端部１５ｂは軸部１８ａに対して回動不能となっている。捻りコイルバネ１５のコイル部１５ｃ，１５ｄは、下部閉塞部材１２の収納状態において、下端部１５ｂと略水平方向に並んで配設されている。
【００４４】
次に、回動アーム１９について説明する。回動アーム１９は、金属製の板材からなるリンク体であり、回動アーム１９の上端部は、下部チャンネル部８２の基部８４に固定された取付片９５から前後方向に延びる軸部９５ａに挿通され、該軸部９５ａに対して回動自在に軸支されている。また、回動アーム１９の下端部には、前後方向に延びる軸部１９ａが設けられており、該軸部１９ａは、下部閉塞部材１２に形成された溝部１２ｂに挿入されている。
【００４５】
次に、上角部閉塞部材３１及び下角部閉塞部材３２について説明する。図４，図５に示されるように、上角部閉塞部材３１は、アルミ合金等の金属製の押出成形品であり、カバー部材７２の左右寸法と略同一寸法で左右方向に延びており、側方から見て下向きコ字形状を成し、上部閉塞部材１１内に入れ子状に収納可能に形成されている。
【００４６】
図４〜図６に示されるように、上角部閉塞部材３１は、上部閉塞部材１１に対して左右方向に相対移動可能に連結されている。詳しくは、上角部閉塞部材３１の前後に対向配置された板状の側壁部３１ａ，３１ａそれぞれに対向して形成され左右方向へ略直線状に延びる長孔３１ｂ，３１ｂが形成されている。上部閉塞部材１１の左端部（側部閉塞装置２側の端部）の前後の側壁部１１ｃ，１１ｃ間には、長孔３１ｂ，３１ｂを貫通した状態で二本のガイドピン３１ｃ，３１ｃが互いに平行に渡設されている。このことから、収納状態において、上部閉塞部材１１と上角部閉塞部材３１とをコンパクトに収納できるとともに、上角部閉塞部材３１を上部閉塞部材１１と共に進出させることができる。
【００４７】
また、図４に示されるように、収納状態において上角部閉塞部材３１の側壁部３１ａ，３１ａは、上部フレーム６の保持部６３，６３の間を連通して、カバー部材７２内の収納部７２ｄに進出している。
【００４８】
また、図５，図６に示されるように、上角部閉塞部材３１の移動規制端部Ｓ側の端部には、上下方向に延びる挿入穴３１ｆが形成されており、後述するピン９９を下方から挿入可能となっている。この挿入穴３１ｆは、ピン９９の直径よりも大径であることから、ピン９９が傾動するようなことがあっても、その傾動を許容することができる。
【００４９】
また、挿入穴３１ｆとピン９９は、挿入穴３１ｆにピン９９を挿入した後、ピン９９に対して挿入穴３１ｆが相対的に上下方向へ進退動作可能に配置されている。
【００５０】
図５に示されるように、上角部閉塞部材３１の上壁部３１ｄには、上部閉塞部材１１の長孔１１ｅと同様に、左右方向に形成された長孔３１ｅが形成されており、該長孔３１ｅに一方の吊支部材９の軸を挿通させて、該一方の吊支部材９を連結体７４に固定している。
【００５１】
図４，図６に示されるように、下角部閉塞部材３２は、上角部閉塞部材３１を上下反転した形状と略同一形状であり、上角部閉塞部材３１と同様に、側壁部３２ａ，３２ａ（図４参照）の長孔３２ｂ，３２ｂに貫通された軸体３２ｃ，３２ｃによって左右方向に相対動可能に下部閉塞部材１２の前後の側壁部１２ｃ，１２ｃ内に入れ子状に連結されている。このことから、収納状態において、下部閉塞部材１２と下角部閉塞部材３２とをコンパクトに収納できるとともに、下角部閉塞部材３２を下部閉塞部材１２と共に進出させることができる。
【００５２】
また、図４に示されるように、収納状態において下角部閉塞部材３２の側壁部３２ａ，３２ａは、下部フレーム８の保持部８３，８３の間を連通して、カバー部材７２内の収納部７２ｄに進出している。
【００５３】
また、下角部閉塞部材３２にも挿入穴３２ｆ（図８参照）が形成されており、上方から挿入されたピン９９に対して相対的に上下方向へ進退動作可能であるとともに、ピン９９が傾動するようなことがあっても、その傾動を許容することができる。尚、他の間仕切パネル１，１，…は、上角部閉塞部材３１及び下角部閉塞部材３２を有していない。
【００５４】
次に、側部閉塞装置２について説明する。図５に示されるように、側部閉塞装置２は、カバー部材７２内の収納部７２ｄに収納可能な側部閉塞部材２０と、縦フレーム７Ａの芯部材７１Ａに固定されるベース杆２３と、ベース杆２３に固定され側部閉塞部材２０を左右方向に進退動作させる側部進退機構２５と、側部閉塞部材２０とベース杆２３との間に介在され当該側部閉塞部材２０を支持する二つのリンク機構３５，３５と、から構成されており、側部進退機構２５の進退動作に応じて側部閉塞部材２０を進退可能となっている。
【００５５】
図６に示されるように、側部閉塞部材２０は、ガラスパネル４，４の上下寸法よりも僅かに長尺に延設され芯部材７１Ａ側（右側）に開口する上面視コ字状に形成された本体部材２１の底部２１ｃの内側に支持杆２２が固定されており、上面視移動規制端部Ｓ側（左側）に開口するカバー部材７２の内部に連接方向（左右方向）に移動可能に収納されている。また、支持杆２２には側部進退機構２５及び各リンク機構３５，３５が連結されている。
【００５６】
図５（ａ）に示されるように、本体部材２１の底部２１ｃの外側の前後両側端部には、上下方向に亘ってゴムで形成された緩衝部材９０，９０が前後に離間して取り付けられている。これにより、本体部材２１が移動規制端部Ｓに押圧された際の衝撃を緩衝できるとともに、本体部材２１と移動規制端部Ｓとの隙間を確実に閉塞することができる。また、本体部材２１の両側板部の芯部材７１Ａ側の端部には、それぞれゴムで形成されたシール部材９１，９１が上下方向に亘って取り付けられており、カバー部材７２と本体部材２１との隙間を密封可能となっている。
【００５７】
図５（ａ），図６の吹出し内に示すように、本体部材２１の両側板部の吊支部材９が配置される位置よりも左側の左端部は本体部材２１の中央や右端部よりも一段高く形成されている。すなわち、この左端部は、底部２１ｃから連続しており、該底部２１ｃの上端と同じ高さ位置となっており、突出部２１ｄ，２１ｄを形成している。また、図５に示されるように、本体部材２１の前後寸法は、上部フレーム６の上部チャンネル部６２の前後寸法よりも僅かに短尺な略同一寸法に形成されている。上部チャンネル部６２に配置される上部閉塞部材１１及び上角部閉塞部材３１の左端部は突出部２１ｄ，２１ｄの間に配置されている。同様に、下部フレーム８の下部チャンネル部８２に配置される下部閉塞部材１２及び下角部閉塞部材３２の左端部も側部閉塞部材２０内に配置されている。
【００５８】
図６，図７に示されるように、支持杆２２は、上下方向に長尺な角パイプ状の部材であり、上端部と下端部にそれぞれピン９９，９９が溶接固定されている。これらピン９９，９９は、側部閉塞部材２０の進退動作と共に移動することから、各ピン９９，９９が対応する挿入穴３２ｆ，３２ｆに挿入されることで側部閉塞部材２０に連結された上角部閉塞部材３１及び下角部閉塞部材３２は、ピン９９，９９により押動または引動され、上部閉塞部材１１または下部閉塞部材１２に対して相対的に長尺方向に進退動作可能となっている。これにより、上角部閉塞部材３１及び下角部閉塞部材３２を側部閉塞部材２０と共に確実に進出させることができる。
【００５９】
図６に示されるように、ベース杆２３は、上下方向に長尺なＣ字チャンネル杆状の部材であり、ボルトナットによって芯部材７１Ａに固定されている。
【００６０】
図７に示されるように、側部進退機構２５は、支持杆２２の上下方向中央部に間に緩衝部材３３を介在させて取り付けられる上下方向に長尺な押引体２６と、ベース杆２３に回動可能に軸支される上下一対のレバー２７，２７と、該レバー２７及び押引体２６それぞれに回動可能に取り付けられる板状の長尺部材であるアーム体２８，２８と、レバー２７，２７それぞれに回動可能に軸支される上下方向に長尺な角パイプ状のリンク部材２９と、から構成されている。尚、アクセス部Ｃは、下方のレバー２７をベース杆２３に回動可能に軸支する六角ボルトの頭部であり、アクセス部Ｃとレバー２７は相対移動不能に固定されている。
【００６１】
次に、図７〜図１０を用いて、最後尾の間仕切パネル１Ａによる間仕切パネル１，１，…，１Ａと移動規制端部Ｓ、天井及び床との隙間の閉塞動作について説明する。尚、下部閉塞部材１２を例に説明し、略同一態様である上部閉塞部材１１の説明を省略する。先ず、図９（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の側端部に当接している。また、側部閉塞部材２０の収納状態の際には、押引体２６がレバー２７に接近して配置されている（図８（ａ）参照）。
【００６２】
次いで、最後尾の間仕切パネル１Ａのアクセス部Ｃにハンドル（図示略）を取り付け、時計回りに回動させると、アーム体２８，２８を介して移動規制端部Ｓ側へと押動される押引体２６により側部閉塞部材２０も押動され、図９（ｂ）に示されるように、側部閉塞部材２０の側端部が移動規制端部Ｓに当接する。このとき、上角部閉塞部材３１及び下角部閉塞部材３２は、この側部閉塞部材２０の移動に従動して、静止したままである上部閉塞部材１１及び下部閉塞部材１２に対して相対的に移動規制端部Ｓ側へと移動する。尚、図７（ａ）は、下角部閉塞部材３２の左端部が移動規制端部Ｓに接触した直後、すなわち下部閉塞部材１２にパネル本体５０側（左側）に押し込まれる力が働いていない状態を示している。
【００６３】
ハンドルを操作してアクセス部Ｃの回動を続けると、側部閉塞部材２０の移動規制端部Ｓ側への移動は、該移動規制端部Ｓによって規制されていることから、パネル本体５０側が隣接する間仕切パネル１側へと移動する。これに伴い、上部閉塞部材１１及び下部閉塞部材１２それぞれの側端部が隣接する間仕切パネル１の側端部に押圧され、天井Ｒまたは床Ｆに接触する。また、ハンドルの回動操作は、ハンドルを回動させた角度が９０度に達するまで行われる（図８（ｂ）参照）。ハンドルを回動させた角度が９０度に達すると、図１０（ｂ）に示されるように、パネル本体５０の右側端部が隣接する間仕切パネル１の左側端部に当接し、側部閉塞部材２０は進出状態となり、最後尾の間仕切パネル１Ａにより間仕切パネル１，１，…，１Ａと移動規制端部Ｓ、天井及び床との隙間を閉塞することができる。尚、回動可能な範囲については、具体的な数値を限定するものではない。
【００６４】
下部閉塞部材１２の動作について詳しく説明する。下部閉塞部材１２では、捻りコイルバネ１５が、上端部１５ａをそれぞれ回動中心として回動し、下部閉塞部材１２が押し下げられるため、該下部閉塞部材１２が床Ｆに接触する（図７（ｂ）参照）。
【００６５】
尚、捻りコイルバネ１５の下端部１５ｂは、軸部１８ａに対して回動不能となっているため、下部閉塞部材１２の閉塞動作がパネル本体５０側に押し込まれたときからコイル部１５ｄが屈曲して付勢力が増加する。また、軸部１８ａが軸部１７ａよりも左側に位置しているため、捻りコイルバネ１５の付勢力は、略水平方向（下部閉塞部材１２を右側に押し戻す方向）に強く働くようになっている。
【００６６】
また、上角部閉塞部材３１及び下角部閉塞部材３２は、この下部閉塞部材１２の移動に従動して、静止したままである側部閉塞部材２０に対して相対的に天井Ｒ側または床Ｆ側へと移動する。このとき、ピン９９，９９（図６，図７参照）に対して上角部閉塞部材３１または下角部閉塞部材３２が相対的に傾動するようなことがあっても挿入穴３２ｆ，３２ｆ（図６，図７参照）が当該傾動を許容できるため、上角部閉塞部材３１及び下角部閉塞部材３２はスムーズに上方または下方へ移動することができる。これによって、側部閉塞部材２０と上部閉塞部材１１との間の空間と、側部閉塞部材２０と下部閉塞部材１２との間の空間とを、上角部閉塞部材３１及び下角部閉塞部材３２によって十分に閉塞することができる。
【００６７】
図７（ｂ）の状態からパネル本体５０をさらに左側に移動させると、軸部１８ａ，１８ｂと軸部１７ａとが左右方向に近接し、捻りコイルバネ１５のコイル部１５ｃが屈曲し、コイル部１５ｄの屈曲が解消される。すなわち、捻りコイルバネ１５を屈曲させながら、下部閉塞部材１２とパネル本体５０とが左右方向に相対移動するようになる。このとき、回動アーム１９の軸部１９ａが溝部１２ｂに沿って左側へ移動する（図７（ｃ）参照）。
【００６８】
また、図７（ｃ）の状態からパネル本体５０をさらに左側に移動させると、捻りコイルバネ１５がさらに屈曲され、捻りコイルバネ１５のコイル部１５ｃの中心軸が軸部１７ａの直下を越えて左側に移動する（図７（ｄ）参照）。
【００６９】
図７（ｅ）に示されるように、側部閉塞部材２０が進出状態となると、軸部１８ａは、軸部１７ａの直下よりも右側に位置する。すなわち、捻りコイルバネ１５は死点を越えていない。つまり、捻りコイルバネ１５の付勢力は、パネル本体５０を隣接する隣接する間仕切パネル１に向けて押し付ける方向以外に、下部閉塞部材１２を左側に押し戻す方向にも作用している。
【００７０】
このとき、側部閉塞部材２０の進出状態が側部進退機構２５によって保持されていることから、下部閉塞部材１２は、捻りコイルバネ１５により下部閉塞部材１２を右側に押し戻す方向に付勢された状態のまま移動不能となっているため、下部閉塞部材１２は隣接する間仕切パネル１の側端部を押圧し続けながら、その進出状態が保持されている。
【００７１】
また、下部閉塞部材１２の後退動作は、側部閉塞部材２０を進出状態から後退させることで半自動的に行われる。詳しくは、側部閉塞部材２０を進出動作とは逆の手順で後退動作させ、パネル本体５０を隣接する間仕切パネル１から離間させることで、下部閉塞部材１２は、捻りコイルバネ１５の付勢力によって受動的に隣接する間仕切パネル１側へとパネル本体５０に対して相対的に移動する。すなわち、側部閉塞部材２０の進出状態が解除されることで、下部閉塞部材１２を半自動的に収納状態とすることができる。この下部閉塞部材１２の閉塞解除動作時における捻りコイルバネ１５の動作態様は、上述した下部閉塞部材１２の閉塞動作時における捻りコイルバネ１５の動作態様と逆になる（図７（ｅ）、図７（ｄ）、図７（ｃ）、図７（ｂ）、図７（ａ）の順となる）。
【００７２】
また、下部閉塞部材１２の後退動作において、回動アーム１９の軸部１９ａは溝部１２ｂに沿って右側へ移動する。さらに、進出状態から収納状態にかけて捻りコイルバネ１５，１５の付勢力により下部閉塞部材１２が右側に押し戻される方向に付勢され、軸部１９ａが溝部１２ｂの左側端部に当接した状態となることから、確実に下部フレーム８の下部チャンネル部８２（図４参照）内に下部閉塞部材１２を収納することができる。このようにして、下部フレーム８から下部閉塞部材１２が意図せず垂れ下がることを防止されている。すなわち、下部閉塞部材１２が床Ｆ側に飛び出ないように保持することができる。
【００７３】
上角部閉塞部材３１及び下角部閉塞部材３２についても同様に、進出動作の際とは逆に、下部閉塞部材１２の後退動作とともに側部閉塞部材２０側（下方または上方）へと後退し、側部閉塞部材２０の後退動作とともに上部閉塞部材１１または下部閉塞部材１２側（右方）へと後退し、上部閉塞部材１１または下部閉塞部材１２に半自動的に収納される。
【００７４】
以上説明してきたように、本実施例の移動間仕切装置１０は、側部閉塞部材２０と上部閉塞部材１１及び下部閉塞部材１２とを進出状態とした際に、側部閉塞部材２０と上部閉塞部材１１または下部閉塞部材１２との間の空間に上角部閉塞部材３１及び下角部閉塞部材３２が進出状態となることから、上部閉塞部材１１及び下部閉塞部材１２と側部閉塞部材２０との進出状態において、最後尾の間仕切パネル１Ａの上部及び下部を十分に閉塞することができる。
【００７５】
また、上角部閉塞部材３１及び下角部閉塞部材３２と側部閉塞部材２０とは、上下方向に相対移動可能に連結され、上角部閉塞部材３１及び下角部閉塞部材３２と上部閉塞部材１１及び下部閉塞部材１２とは、連接方向に相対移動可能に連結されていることから、側部閉塞部材２０と上部閉塞部材１１及び下部閉塞部材１２との進出動作に伴って上角部閉塞部材３１及び下角部閉塞部材３２を進出動作させることができる。
【００７６】
また、上角部閉塞部材３１及び下角部閉塞部材３２は、上部閉塞部材１１及び下部閉塞部材１２に入れ子状かつ当該上部閉塞部材１１及び下部閉塞部材１２の進出と連動して進出するように連結されていることから、収納状態において、上部閉塞部材１１及び下部閉塞部材１２と上角部閉塞部材３１及び下角部閉塞部材３２とをコンパクトに収納できるとともに、上角部閉塞部材３１及び下角部閉塞部材３２を上部閉塞部材１１及び下部閉塞部材１２と共に進出させることができる。
【００７７】
また、枠部材５は上部フレーム６、一対の縦フレーム７，７Ａ及び下部フレーム８が一体に連結されて構成されており、枠部材５の構造強度を確保しながら、上部フレーム６、一対の縦フレーム７，７Ａ及び下部フレーム８によって囲まれる領域における、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００７８】
また、上部フレーム６の凹溝部６１，６１または下部フレーム８の凹溝部８１，８１は、間仕切パネル１を移動させるときや間仕切パネル１，１，…，１Ａを連接させるときの衝撃などにより、一対のガラスパネル４，４が離間または近接する方向に移動することを防止できる。そのため、両面テープからガラスパネル４，４を剥がす方向に力が働くことを抑制でき、ガラスパネル４，４の剥がれ落ちを防止でき耐震性も向上する。
【００７９】
以上、本発明の実施例を図面により説明してきたが、具体的な構成はこれら実施例に限られるものではなく、本発明の要旨を逸脱しない範囲における変更や追加があっても本発明に含まれる。
【００８０】
例えば、前記実施例では、側部閉塞装置２を有する間仕切パネル１Ａは、最後尾に配置される態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００８１】
最後尾の間仕切パネル１Ａは、上部閉塞部材１１及び下部閉塞部材１２を備える態様として説明したが、これに限らず、上部閉塞部材１１または下部閉塞部材１２の一方のみを備える態様であってもよい。これに伴い、上角部閉塞部材３１及び下角部閉塞部材３２についても、上部閉塞部材１１または下部閉塞部材１２の一方と対応する上部閉塞部材１１または下部閉塞部材１２の一方のみを備えていればよい。
【００８２】
また、上角部閉塞部材３１及び下角部閉塞部材３２は、側部閉塞部材２０及び上部閉塞部材１１または下部閉塞部材１２と共に進出する態様として説明したが、これに限らず、側部閉塞部材２０と共に左右方向に進出し、上方または下方へはバネ付勢やアクチュエータ等の電動駆動等の他の進出手段によって進出してもよく、左右方向へはバネ付勢やアクチュエータ等の電動駆動等の他の進出手段によって進出し、上部閉塞部材１１または下部閉塞部材と共に上方または下方へ進出してもよく、側部閉塞部材２０、上部閉塞部材１１及び下部閉塞部材１２が進出した後、バネ付勢やアクチュエータ等の電動駆動等の他の進出手段によって側部閉塞部材２０と上部閉塞部材１１または下部閉塞部材１２との間の空間に上角部閉塞部材３１及び下角部閉塞部材３２が進出する態様であってもよく、限定されるものではない。
【００８３】
上部閉塞部材１１は、上部フレーム６よりも長尺である態様として説明したが、これに限らず、上角部閉塞部材３１を相対的に進退可能に連結可能であれば、上部フレーム６と略同一寸法であってもよく、短尺であってもよく限定されるものではない。下部閉塞部材１２についても同様である。また、上角部閉塞部材３１や下角部閉塞部材３２についても、上部閉塞部材１１または下部閉塞部材１２に対して相対移動可能に連結可能であれば、カバー部材７２よりも長尺または短尺に形成されていてもよい。
【００８４】
また、上部閉塞部材１１は、回動アーム１９を備えていない態様であるとして説明したが、これに限らず、備えていてもよい。この態様であれば、下部閉塞部材１２と同様に、進退動作をガイドすることができるとともに、最後尾の間仕切パネル１Ａの移動時に上部閉塞部材１１が浮き上がることを防止することができる。すなわち、上部閉塞部材１１が天井Ｒ側に飛び出ないように保持することができる。
【００８５】
パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【００８６】
側部進退機構２５は、時計回りまたは反時計回りにハンドルを介して９０度回動させる態様であるとして説明したが、これに限らず、他の手動態様やアクチュエータ等の電動態様等、側部閉塞部材２０を進退動作可能であればよく、その構成が限定されるものではない。
【符号の説明】
【００８７】
１                間仕切パネル
１Ａ              最後尾の間仕切パネル（一の間仕切パネル）
３                レール（誘導路）
４                ガラスパネル（パネル部材）
９                吊支部材
１０              移動間仕切装置
１１              上部閉塞部材（上下閉塞部材）
１２              下部閉塞部材（上下閉塞部材）
１５              捻りコイルバネ（付勢手段）
１９              回動アーム
２０              側部閉塞部材
３１              上角部閉塞部材
３２              下角部閉塞部材
５０              パネル本体
Ｆ                床
Ｒ                天井
Ｓ                移動規制端部（壁部）
【図１】
2019143339.tif 000003
【図２】
2019143339.tif 000004
【図３】
2019143339.tif 000005
【図４】
2019143339.tif 000006
【図５】
2019143339.tif 000007
【図６】
2019143339.tif 000008
【図７】
2019143339.tif 000009
【図８】
2019143339.tif 000010
【図９】
2019143339.tif 000011
【図１０】
2019143339.tif 000012